(57)【要約】【課題】  表示内容を見やすく表示することが可能な加熱調理器を提供すること【解決手段】  本体と、この本体を覆う調理容器を載置する天板を有し、外部に所定の状態を表示する表示部を有する加熱調理器において、天板には、天板の裏面から表面に向けて光が透過可能な領域である窓部が形成されており、表示部は、窓部に対向して設けられる複数の光源と、隣り合う光源を仕切る仕切り部を備え、仕切り部は、天板の下側に天板との間に間隔を空けて設けられ、窓部において隣り合う光源が放つ光が混ざることを抑止するように加熱調理器を構成する。【選択図】図４
2013117355.tif 000002
【特許請求の範囲】
【請求項１】
本体と、該本体を覆う調理容器を載置する天板を有し、外部に所定の状態を表示する表示部を有する加熱調理器において、
前記天板には、該天板の裏面から表面に向けて光が透過可能な領域である窓部が形成されており、
前記表示部は、前記窓部に対向して設けられる複数の光源と、隣り合う前記光源を仕切る仕切り部を備え、
前記仕切り部は、前記天板の下側に該天板との間に間隔を空けて設けられ、前記窓部において隣り合う前記光源が放つそれぞれの光が混ざることを抑止することを特徴とする加熱調理器。
【請求項２】
前記仕切り部は、壁面により構成され上下に向いて開放する開口部を有し、該開口部の内部に前記光源を収納することを特徴とする請求項１に記載の加熱調理器。
【請求項３】
前記仕切り部は、前記開口部を形成する壁面より突出する突出部を有し、該突出部により前記光源が放つ光の広がりを抑止することを特徴とする請求項２に記載の加熱調理器。
【請求項４】
前記開口部は、上側の開口から下側の開口に向けて広がる形状であることを特徴とする請求項２又は請求項３のいずれかに記載の加熱調理器。
【発明の詳細な説明】
【技術分野】
【０００１】
本発明は、調理鍋を載置する天板に、外部に所定の状態を表示する表示部を有する加熱調理器に関する。
【背景技術】
【０００２】
従来から、調理鍋など内部に被調理物を入れて加熱調理を行う調理器具を載置する天板（トッププレートとも言う）と、この天板の下面に対向して設けられ調理鍋を加熱する加熱部と、加熱部への通電を制御する制御手段と、天板面内に設けられ加熱部の出力を複数の光源を段階的に点灯して表示する火力表示部を有する加熱調理器がある（例えば、特許文献１参照）。
【先行技術文献】
【特許文献】
【０００３】
【特許文献１】特開２００４−３９３７５号公報（図２参照）。
【発明の概要】
【発明が解決しようとする課題】
【０００４】
従来の加熱調理器は、加熱部の出力を段階的に表示する為に、例えば、火力表示部を構成する発光部を、ＬＥＤや電球などの複数の光源をそれぞれ近接した状態で隣り合わせて横一列に並べて配置することで構成されている。
この様に従来の加熱調理器は、複数の光源が近接して設けられることにより火力表示部が構成されているので、隣り合う光源の光が交じり合ったり、光源が光っていない表示部の領域に光が漏れ出したりして、表示内容が見え難くなるという課題があった。
【０００５】
本発明は上記課題を解決するものであり、複数の光源からなる表示部において、表示内容を見やすく表示することが可能な加熱調理器を提供することを目的とする。
【課題を解決するための手段】
【０００６】
上記の課題を解決するためには、本体と、この本体を覆う調理容器を載置する天板を有し、外部に所定の状態を表示する表示部を有する加熱調理器において、天板には、天板の裏面から表面に向けて光が透過可能な領域である窓部が形成されており、表示部は、窓部に対向して設けられる複数の光源と、隣り合う光源を仕切る仕切り部を備え、仕切り部は、天板の下側に天板との間に間隔を空けて設けられ、窓部において隣り合う光源が放つ光が混ざることを抑止するように加熱調理器を構成する。
【発明の効果】
【０００７】
本発明によれば、天板内に設けられた表示部を構成する窓部において、表示部を構成する隣り合う光源が放つ光が混ざることを抑止することができ、表示内容が見易い加熱調理器を構成することができる。
【図面の簡単な説明】
【０００８】
【図１】実施の形態１を示す誘導加熱調理器Ａの斜視図。
【図２】実施の形態１を示す誘導加熱調理器Ａの分解斜視図。
【図３】実施の形態１を示す誘導加熱調理器Ａの上方、前方、側方から見た平面図。
【図４】実施の形態１を示す操作・表示部の平面図及び断面図。
【図５】実施の形態１を示す説明図。
【図６】実施の形態２を示す説明図。
【発明を実施するための形態】
【０００９】
以下、本発明の実施の形態について図面を用いて説明する。
（実施の形態１）
図１は、本発明の実施の形態１に係る誘導加熱調理器Ａの全体の外観を示す斜視図である。図２は、図１の誘導加熱調理器において、天板３０と操作・表示部２０を本体部１０から分離した状態を示す分解斜視図である。
図３（ａ）は、誘導加熱調理器Ａを情報より見た平面図である。図３（ｂ）は、誘導加熱調理器Ａを前方より見た平面図である。図３（ｃ）は、誘導加熱調理器Ａを側面から見た平面図である。尚、図３において、図３において誘導加熱調理器Ａは、キッチンに取り付けられた状態を示している。
図４（ａ）は、操作・表示部２０の平面図である。図４（ｂ）は、（ａ）のＢ−Ｂ断面図である。図４（ｃ）は、要部Ｘの拡大図である。図５（ａ）は、図４（ｂ）（ｃ）を概略的に説明する説明図である。図５（ｂ）は、突出部４２ｆが無い場合の形態を示す従来参考例である。
【００１０】
図１乃至図３に示すように、本実施の形態に係る誘導加熱調理器Ａは、本体部１０、操作・表示部２０、及び、天板３０を有しており、本体部１０の前方側の上面に操作・表示部２０が設けられ、この操作・表示部２０を覆って本体部１０に天板３０が取り付けられる。
本体部１０の外郭は、上方に向く開口が仕切り板１１ａにより仕切られた本体ケース１１からなり、この仕切り板１１ａの上部に誘導加熱コイル１２が配置されている。誘導加熱コイル１２は、左加熱コイル１２ａ、右加熱コイル１２ｂ及び中央加熱コイル１２ｃの３つの誘導加熱コイルから構成されている。
【００１１】
そして、本体ケース１１の前面部右側には、上記のそれぞれの誘導加熱コイル１２の加熱出力を操作するための操作ダイヤル１３が設けられている。
この操作ダイヤル１３は、左加熱コイル１２ａの出力を操作する左操作ダイヤル１３ａと、右加熱コイル１２ｂの出力を操作する右操作ダイヤル１３ｂと、中央加熱コイル１２ｃの出力を操作する中央操作ダイヤル１３ｃが設置されている。
【００１２】
また、本体ケース１１の左側には、グリル調理を行うグリル部１４が設けられている。このグリル部１４は、前面をグリル扉１４ａに覆われており、このグリル扉１４ａに前方を囲まれた本体ケース１１の内部には、調理物を調理する為のグリル室（図示せず）が形成されている。
更に、本体ケース１１の右側の内部には、後述する各種操作部（スイッチ部２２）からの入力と所定のアルゴリズムに基づき、誘導加熱コイル１２への通電や後述する各種表示部、その他の電気部品の制御を行う制御部（図示せず）が設けられている。
【００１３】
次に、天板３０は、外周部を構成するフレーム部３１と、このフレーム部３１の内方に保持されるプレート部３２から構成されている。
フレーム部３１はステンレスにより構成されており、内部にプレート部３２保持する開口部３１ａと、本体ケース１１に取付けられた際に前方側の上面の位置に操作パネル３３が形成されている。
【００１４】
この操作パネル３３は、フレーム部３１の前方側（使用者側）の上面に形成された複数の開口部（図示せず）を、各種の操作位置がそれぞれ記された軟質部材で覆うことにより構成されている。
そして、本体部１０に操作・表示部２０と天板３０を組み付けた状態において、上記の開口部は、後述するスイッチ部２２に対応する位置に開口している。
つまり、使用者が操作パネル３３に形成された操作位置を押すことで、操作パネル３３の裏面が後述する操作・表示部２０に設けられた対応するスイッチ部２２を押圧して、その信号が制御部へと発信されるように構成されている。
【００１５】
ここで、操作パネル３３は、使用者が各誘導加熱コイル１２やグリル室１４における調理モードや調理時間、焼き色などを設定する為のものである。
尚、調理モードとは、例えば、誘導加熱コイル１２を用いた調理であれば、「茹で物調理」「揚げ物調理」「湯沸し」などがあり、グリル室１４を用いた調理であれば「焼き魚調理」などがある。
【００１６】
次に、図３を参照すると、プレート部３２は、結晶化ガラスにより構成されており、フレーム部３１の開口部３１ａに保持される。そして、天板３０を本体部１０に取り付けた状態において、プレート部３２の裏面と各誘導加熱コイル１２と対向する位置に、調理の際に鍋などを載置する領域（加熱口）３２ａを示す装飾や調理器の使用上の注意事項、本体部１０の内部を使用者から隠す装飾の印刷３２ｄなどが施されている。
【００１７】
また、プレート部３２の所定の領域には、プレート部３２の裏から表に向けて、光が透過可能な窓部３２ｂ，３２ｃが複数形成されている。この窓部３２ｂ，３２ｃは、後述する操作・表示部２０に設けられた火力表示部（出力表示部）４０からの光や液晶表示部２２の表示内容を、使用者が認知可能にするためのものである。
尚、窓部３２ｂは液晶表示部に対応し、窓部３２ｃは火力表示部２０に対応する。
【００１８】
次に、図４（ａ）を参照すると、操作・表示部２０は、樹脂により形成されたベース２１に、スイッチ部２４や液晶表示部２２や火力表示部４０を設けてユニット化したものである。
スイッチ部２４は、複数のスイッチ２４ａが、それぞれ天板３０に設けられた操作パネル３３の各種のキーに対応して、所定の間隔で一列に並んで配置されている。
そして、各スイッチ２４ａは、それぞれ制御部に電気的に接続されており、使用者が操作パネル３３を押すことで、操作パネル３３を介して対応するスイッチ２４ａが押圧されて、所定の信号が制御部へと発信される。
【００１９】
次に、液晶表示部２２は、制御部により制御されることで、調理の状況や加熱調理器の状態など、各種情報を表示するものであり、ベース２１の中央と左右両端にそれぞれ配置されている。
尚、各液晶表示部２２は、本体部１０に対して、操作・表示部２０及び天板３０が組み付けられた状態において、対応する窓部３２ｂと対向するように構成されている。
【００２０】
次に図４を参照すると、火力表示部４０は、複数の光源４１と、隣り合う光源を仕切る仕切り部４２を有する。
複数の光源４１は、所定の間隔で一列に印刷配線基板４４（以下、基板４４）上に実装されている。これらの複数の光源４１は、それぞれ制御部に電気的に接続されており、対応する誘導加熱コイル１２の出力に応じて、発光する個数や発光色が変化するように制御される。
尚、光源４１には、ＬＥＤや電球などが用いられる。
【００２１】
上記の様に設けられた４１は、誘導加熱コイル１２の出力に応じて、発光する数が変化し、バーグラフのように増減して誘導加熱コイルの出力を表示する。
例えば、誘導加熱コイル１２の出力が小さい場合、一列に並んで配列されている光源４１の一番端に位置する光源４１がまず点灯し、出力が大きくなるにつれて、隣の光源４１が追加して点灯していく場合や、また、誘導加熱コイル１２の出力が小さい場合、一列に並んで配列されている光源４１全てが青色で点灯し、出力が大きくなるにつれて、端に位置する光源４１から徐々に赤色に点灯色を変化させていく場合などがある。
【００２２】
次に、上記のように発光部である光源４１を一列に実装した基板４４は、ベース２１上に設けられる。そして、基板４４の上には、隣り合う光源４１を仕切る仕切り部４２が設けられる。
この仕切り部４２は、樹脂により構成されており、上下に開口する筒４２ａが横方向に一列に並んで連なった形状をなしている。そして仕切り部４２は、下開口４２ｂの縁を基板に接した状態で、筒の内部に各光源４１が位置するように設けられ、筒４２ａの内部が個々の光源４１が配置される独立した空間を形成する。
つまり、仕切り部４２の筒４２ａを構成する内壁４２ｃが隣り合う光源４１の間に位置する。そして、光源４１が放つ光は、上開口４２ｅから上方に位置する窓部３２ｃに向けて、仕切り部４１の外部に放出されることになる。
【００２３】
また、隣り合う光源４１を仕切る仕切りの内壁４２ｃには、筒（開口）の内方に向けて突出する突出部４２ｆが形成されている。
この突出部４２ｆは、隣り合う光源４１から直接放射された光が窓部３２ｃにおいて、混じり合わないように、上開口４２ｅから窓部３２ｃに向けて出る左右方向の光の広がりを抑止するものである。
【００２４】
以上のように各部が構成された操作・表示部２０は、本体部１０の内部に設けられ、更に、操作・表示部２０の上方を覆うように、天板３０が本体部１０の上面に設けられる。
尚、操作・発光ユニット２１に設けられた仕切り部４２と天板３０の間には、所定の隙間Ｄが形成されている。つまり、仕切り部４１と天板３０は、接触しないように構成されている。
また、この隙間Ｄの位置、つまり、天板３０と仕切り部４２の間であって、光源と窓部３２ｂ、３２ｃの間を遮らない位置に、クッションなどの緩衝部材を設けて、隙間Ｄを形成してもよい。
【００２５】
ここで、図５（ａ）を参照すると、突出部４２ｆの大きさや形状は、光源４１から放射される光が、隣り合う別の光源４１が放射する光と、窓部３２ｂにおいて混ざらないように、光を遮るように設定される（図中、矢印Ｙが示す部分）。
例えば、各光源４１が同じぐらいの光の強さで、複数の光源４１が等間隔で一列に並んで配置されている場合、光源４１から放射され左右方向に広がる光の窓部３２ｂに到達する左右方向の位置が、隣り合う光源の距離Ｌの１／２以下となるように、光源からの光を遮るように突出部４２ｆは形成される。
図５（ｂ）に示す突出部４２ｆが無い場合の参考例の場合、窓部３２ｂにおいて隣り合う光が混ざり合ってしまう（図中、矢印Ｚが示す部分）。
尚、図中の点線は、１つの光源から放射される光を示している。
【００２６】
また、突出部４２ｆの大きさや形状は、仕切り部４２の大きさや光源４１の強さ、光源４１の大きさや種類（例、ＬＥＤなどの点光源、複数のＬＥＤなどの点光源が集まった光源、有機ＥＬのような面光源）、光源４１の配置、光が通る光路の条件などによって、設定すればよい。
例えば、光路を加味する例として、光源４１から放射された光は、窓部３２ｂを構成する天板３２に入射したときに、天板３２を構成するガラスの物性に応じて、光は屈折して天板３２の内部を進む。この様な光の屈折を考慮して、突出部４２の大きさや形状を設定する。つまり、使用者が窓部３２ｂに目視した際に、隣り合う光源の色が重ならないように突出部４２ｆを構成すれば良い。
尚、光路とは、光源４１から窓部３２ｂの上面側（使用者が目視する位置）に至る光が進む経路をいう。
また、突出部４２ｆの大きさや形状を調整することにより、意図的に隣り合う光源の光が混ざるように構成して、装飾に用いてもよい。
また、本実施の形態では、突出部４２ｆは仕切り部４２の内壁４２ｃの面に一体的に設けられた形態で説明したが、仕切り部４２とは別の部材として構成して、仕切り部４２に取り付けても良い。
【００２７】
以上のように仕切り部４２を構成して、この仕切り部４２と天板３０が接触しないように、所定の隙間Ｄを形成して、操作・表示部２０と天板３０を本体部１０に設けることにより、次のような効果を得られる。
まず、天板３０上に調理容器を載置したり、鍋振りにより天板が上方より押圧されたりしたときに、天板３０の下面と仕切り部４２との接触を防ぎ、天板３０の裏面の傷つきや仕切り部４２の破損を防止できる。
また、天板３０は調理動作時に主に調理容器からの熱により高温状態となるが、隙間Ｄが形成されていることにより、この高温の天板３０が仕切り部４２と接しないので、熱による仕切り部４２の変形を防止することができる。
これに加え、隙間Ｄを設けることにより、高温である天板３０から、光源４１などと共に印刷配線基板４４に設けられた電子部品の距離を離すことができる。これにより、光源などの電子部品を高温の状態から守ることができる。
【００２８】
更にこの効果に加え、天板３０の下面と仕切る部４２との間に隙間を形成しても、複数の光源４１が整列して配置されて構成される火力表示部４０のような表示部において、隣り合う光源４１からの光同士の混ざり合いや滲みを防止し、表示内容が見易い表示部を構成することができる。
更に、上記のように隣り合う光源４１の光が混ざり合いや滲みを防止できるので、効率よく光源から光を放つことができ、不要な電力を低減することができる。
更に、仕切り部５１は、光源４１を設けた基板などと別体に構成することで、加熱調理器を排気する際に、分別を容易にすることができる。
【００２９】
（実施の形態２）
次に、本発明の実施の形態２について説明する。尚、実施の形態１と同一の構成については同一の符号を付し、説明を省略する。
図６を参照すると、仕切り部５１は、樹脂により構成されており、上下に開口する筒５１ａが一列に並んで連なった形状をなしている。また、筒５１ａの内部の形状は、上開口５１ｂ側から下開口５１ｃ側に向けて末広がり形状（テーパー形状）に構成されている。
【００３０】
また、隣り合う光源４１を仕切る仕切りの上開口縁５１ｂには、筒（開口）の内方に向けて突出する突出部５１ｄが形成されている。
この突出部５１ｄは、隣り合う光源４１から直接放射された光が窓部において交じり合わないように、上開口５１ｂから窓部３２ｂに向けて出る左右方向の光の広がりを抑止するものである。
【００３１】
そして仕切り部５１は、下開口５１ｃの縁を基板４４に接した状態で、開口内部に光源４１が位置するように設けられ、筒５１ａ内部が個々の光源４１が配置される独立した空間を形成する。
つまり、仕切り部の内壁５１ｅが隣り合う光源４１の間に位置する。そして、光源４１が放つ光は、上開口か５１ｂら仕切り部５１の外部に放出されることになる。
【００３２】
このように、光源４１を個々に仕切る筒内部の形状を上開口側から下開口側に向けて末広がり形状（テーパー形状）に構成することにより、金型にて仕切り部を樹脂で成形する際に、筒部分を形成する金型が、下開口側から退避することで、成形された仕切り部材から効率よく外すことができる。
【００３３】
以上のように、実施の形態１及び実施の形態２において、天板上に調理容器を載置されたり、鍋振りにより天板が上方より押圧されたりしたときに、天板の下面と仕切り部との接触を防ぎ、天板裏面の傷つきや仕切り部の破損を防止できる。
また、この様に効果に加え、仕切り部の形状によっては、仕切り部を構成する筒の内壁面に反射した光が若干は交じり合うことがあるが、隣り合う光源から直接放射された光が混じり難く構成できる。
これにより、複数の光源が整列して配置されて構成される火力表示部のような表示部において、隣り合う光源からの光同士の混ざり合いや滲みを防止し、表示内容が見易い火力表示部を構成することができる。
【符号の説明】
【００３４】
１０  本体部、１１本体ケース、１２  誘導加熱コイル、１３  操作ダイヤル、
１４  グリル部、２０  操作・表示部、２２  液晶表示部、２１  ベース、
２４  スイッチ部、３０  天板、３１  フレーム部、３２プレート部、３２ｂ  窓部、
３３  操作パネル、４０  火力表示部、４１  光源、４２  仕切り部、
４２ｆ  突出部、４４、基板、５１  仕切り部。
【図１】
2013117355.tif 000003
【図２】
2013117355.tif 000004
【図３】
2013117355.tif 000005
【図４】
2013117355.tif 000006
【図５】
2013117355.tif 000007
【図６】
2013117355.tif 000008